(57)【特許請求の範囲】
【請求項１】
複数個の電池を同時に充電できる複数電池充電装置であって、
各電池の充電履歴からリフレッシュが必要か否かを判断する履歴判断部と、
リフレッシュを行う日時を設定する日時設定部と、
前記日時設定部に設定された時刻になった際に、前記履歴判断部によりリフレッシュが必要と判断された電池のリフレッシュを開始するリフレッシュ部とを有することを特徴とする複数電池充電装置。
【請求項２】
複数台の複数電池充電装置が、相互にリフレッシュを行う日時の設定を送受することを特徴とする請求項１の複数電池充電装置。
【請求項３】
各識別子を備える複数個の電池を同時に充電できる複数電池充電装置であって、
各電池の前記識別子に対応させた充電履歴を保持する履歴保持部と、
前記履歴保持部に保持された各電池の充電履歴からリフレッシュが必要か否かを判断する履歴判断部と、
リフレッシュを行う日時を設定する日時設定部と、
前記日時設定部に設定された時刻になった際に、前記履歴判断部によりリフレッシュが必要と判断された電池のリフレッシュを開始するリフレッシュ部とを有することを特徴とする複数電池充電装置。
【請求項４】
複数台の複数電池充電装置が、相互に電池の充電履歴情報を送受することを特徴とする請求項３の複数電池充電装置。
【発明の詳細な説明】
【０００１】
【発明の属する技術分野】
本発明は、複数個の電池を同時に充電できる複数電池充電装置に関し、特に二次電池のメモリー効果による充電容量減少に対応できる複数電池充電装置に関するものである。
【０００２】
【従来の技術】
現在、自動車等の製造ラインで、電池駆動の電動工具が用いられている。ここで、係る製造ラインにおいては、１台の電動工具当たり、複数個の電池を充電しておき、電池を取り替えることで、電動工具の連続使用を可能にしている。
【０００３】
【発明が解決しようとする課題】
しかしながら、ニッケルカドミウム電池、ニッケル水素電池等の二次電池を、容量を十分に使い切らない状態で充放電を繰り返すと、メモリー効果により充電容量が低下する。係るメモリー効果に対応するため、スイッチの操作により二次電池の容量を使い切らせるリフレッシュ回路を充電装置に備えることも可能であるが、各電池がリフレッシュが必要か否かを判断することなくリフレッシュを行うと、電池寿命を短縮させることとなる。
【０００４】
ここで、充電履歴に基づきにリフレッシュ充電を行う技術として特開平７−１４３６８０号がある。しかし、充電履歴に基づき製造ラインの稼働中に電池のリフレッシュを行うと、一旦、完全に放電させ容量が無くなってから充電を開始することになるため、充電完了までに時間がかかり、電動工具への電池の供給が間に合わなくなることがある。なお、設定時間に自動的にリフレッシュ充電を行う技術として特開平７−１０５９８２号があるが、設定時間毎に履歴とは関わりなくリフレッシュを行うため、電池寿命を短縮させることとなる。
【０００５】
更に、製造ラインにおいて、電池を複数の充電装置にまたがって充電すると、電池の充電履歴を管理することができなくなり、適切にリフレッシュを行うことができないという問題もある。
【０００６】
本発明は、上述した課題を解決するためになされたものであり、その目的とするところは、二次電池のメモリー効果による充電容量減少に個別に対応できると共に、電池を使用しない時間帯にリフレッシュを行うことができる複数電池充電装置を提供することにある。
【０００７】
【課題を解決するための手段】
上記目的を達成するため、請求項１は、複数個の電池を同時に充電できる複数電池充電装置であって、
各電池の充電履歴からリフレッシュが必要か否かを判断する履歴判断部と、
リフレッシュを行う日時を設定する日時設定部と、
前記日時設定部に設定された時刻になった際に、前記履歴判断部によりリフレッシュが必要と判断された電池のリフレッシュを開始するリフレッシュ部とを有することを技術的特徴とする。
【０００８】
請求項１では、各電池の充電履歴からリフレッシュが必要か否かを判断するため、リフレッシュが必要な電池を自動的に選別してリフレッシュすることができる。また、設定された時刻になった際に、リフレッシュを開始するため、電池が使用される時間帯を避けてリフレッシュを行うことが可能となる。
【０００９】
請求項２では、複数台の複数電池充電装置が、相互にリフレッシュを行う日時の設定を送受するため、１台の複数電池充電装置に日時を設定することで、複数台の複数電池充電装置に同時にリフレッシュを開始させることができる。
【００１０】
請求項３では、各識別子を備える複数個の電池を同時に充電できる複数電池充電装置であって、
各電池の前記識別子に対応させた充電履歴を保持する履歴保持部と、
前記履歴保持部に保持された各電池の充電履歴からリフレッシュが必要か否かを判断する履歴判断部と、
リフレッシュを行う日時を設定する日時設定部と、
前記日時設定部に設定された時刻になった際に、前記履歴判断部によりリフレッシュが必要と判断された電池のリフレッシュを開始するリフレッシュ部とを有することを技術的特徴とする。
【００１１】
請求項３では、各電池が識別子を備え、複数電池充電装置が各電池の識別子に対応させた充電履歴を保持するため、複数個の電池を各充電履歴に基づき適切にリフレッシュすることができる。
【００１２】
請求項４では、複数台の複数電池充電装置が、相互に電池の充電履歴情報を送受するため、電池が複数の複数電池充電装置にまたがって充電されても、電池の経歴を正しく判断してリフレッシュすることができる。
【００１３】
【発明の実施の形態】
以下、本発明の実施形態に係る複数電池充電装置（以降、多口充電装置と称する）について図を参照して説明する。
図１は、多口充電回路を複数台連結した状態を示す説明図であり、図２（Ａ）は、該多口充電装置の斜視図であり、図２（Ｂ）は、多口充電装置にて充電される電池パック５０の斜視図である。
【００１４】
図２（Ａ）に示すように多口充電装置１００Ａは、矩形の筐体１０２を備え、上面に電池パック５０Ａ、５０Ｂ、５０Ｃ、５０Ｄの４個同時に充電できるように構成されている。上面には、更に、種々の設定を行うためのキーボード１０４と、モニター１０６とが配設されている。側面には、接続端子１０８が配設されており、図１に示すように、接続端子１０８にケーブル１０９を接続することで、多口充電装置１００Ｂ、１００Ｃを複数台連結できるようになっている。
【００１５】
図２（Ｂ）は、電池パック５０Ａの外観を示している。電池パック５０は、略円筒状に形成された嵌入部５２と、略角柱状に形成された基部５６とから成り、該嵌入部５２の側方には、キー状のキー部５４が形成され、上部には、電池の正極側に接続されたプラス端子ｔ１と、負極側に接続されたマイナス端子ｔ２と、サーミスタから成る温度センサＴＭに接続されたセンサ端子ｔ３と、ＥＥＰＲＯＭに接続された端子ｔ４とが配設されている。
【００１６】
図３（Ａ）に多口充電装置１００Ａに電池パック５０Ａ、５０Ｂ、５０Ｃ、５０Ｄが装填された状態を示し、図３（Ｂ）に電池パックが装填されていない状態を示す。多口充電装置１００Ａの上部には、電池パックの嵌入部５２を嵌入するための装填口１１０α、１１０β、１１０γ、１１０δが配設されている。そして、装填口１１０α、１１０β、１１０γ、１１０δの近傍には、それぞれの装填口に装填された電池パック５０の充電状態を表示するための状態表示ランプ１１２が配置されている。更に、装着された電池がリフレッシュを行う必要があることを示すリフレッシュ充電推奨ランプ１１４と、強制的にリフレッシュを行うための強制リフレッシュ充電ボタン１１６とが配置されている。
【００１７】
第１実施形態の多口充電装置１００Ａの制御回路について、図６を参照して説明する。
ここで、多口充電装置１００Ａの制御回路６０は、４個の装填口１１０α、１１０β、１１０γ、１１０δに装填された電池パックを充電するため、４台の充電回路１０α及びリフレッシュ回路３０α、充電回路１０β及びリフレッシュ回路３０β、充電回路１０γ及びリフレッシュ回路３０γ、充電回路１０δ及びリフレッシュ回路３０δを制御する。ここで、充電回路及びリフレッシュ回路は、既存の１個の電池を充電するための充電器の回路を流用し構成してある。このリフレッシュ回路３０α、３０β、３０γ、３０δは、リフレッシュ部を構成する。
【００１８】
多口充電装置１００Ａの制御回路６０は、各リフレッシュ回路３０α、３０β、３０γ、３０δからの情報を入力するための入力部６２と、各リフレッシュ回路３０α、３０β、３０γ、３０δにリフレッシュの開始を指示する出力部６８と、現在時間を出力する時計部６６と、リフレッシュ時刻、電池の充電履歴等を保持する記憶部６４と、種々の制御を行う制御部７０と、他の多口充電装置１００Ｂ、１００Ｃとの通信を行うための通信部７２とからなる。記憶部６４は、履歴保持部及び日時設定部を構成し、制御部７０は、履歴判断部を構成する。制御部７０は、図２（Ｂ）を参照して上述したキーボード１０４，モニター１０６と接続され、更に、上述した状態表示ランプ１１２を制御するＬＥＤ制御部７６と接続されている。該制御回路６０には、１００Ｖ又は２００Ｖの商用交流電圧が直流電源７４にて降圧され、直流に変換され印加される。
【００１９】
装填口１１０αに装填された電池パックの充電を制御する充電回路１０α、リフレッシュを制御するリフレッシュ回路３０α、及び、電池パック５０Ａの構成を図７に示す。電池パック５０Ａには、２次電池５８と電池５８の温度を検出するサーミスタＴＭと、電池の識別子を保持するＥＥＰＲＯＭ６１とが収容されている。
【００２０】
充電回路１０は、電源回路２２、充電電流制御部２４、制御部２６、記憶部２９等から構成される。
まず、電源回路２２は、電池パック５０の電池５８を充電可能な容量を有するように設定されている。一方、記憶部２９は所定のマップ等の電流値制御情報を記憶するものである。
【００２１】
制御部２６は、後述するリフレッシュ回路３０側から出力された温度値を微分して温度上昇値を求めたうえで記憶部２９の電流値制御情報に基づいて所定の電流値を算出し、この電流値を電流指令値として充電電流制御部２４へ出力し得るように構成されている。そして、充電電流制御部２４は、制御部２６からの電流指令値に基づき電源回路２２を制御し、電池パック５０の充電電流を調整するように構成されている。
【００２２】
なお、上述した電源回路２２、充電電流制御部２４、制御部２６、記憶部２９等は、本願出願人による先の特許出願（特願平１１−０８１２４７号）に開示する充電装置の構成と実質的に同様であり、電池５８の温度を検出しその検出温度に基づいて充電電流を制御して充電を行う構成である。
【００２３】
図３（Ｂ）を参照して上述した装填口１１０α、１１０β、１１０γ、１１０δに電池パック５０Ａ、５０Ｂ、５０Ｃ、５０Ｄが装着されると、当該装填口に対応する充電回路１０α、１０β、１０γ、１０δの制御部２６は、後述するようにリフレッシュ回路３０α、３０β、３０γ、３０δにから指令を受けて電源回路２２、充電電流制御部２４、記憶部２９等を制御し、電池パック５０内の電池５８を充電する。
【００２４】
一方、リフレッシュ動作を制御するリフレッシュ回路３０αは、制御部４１と、温度を検出するための温度検出部４７と、電池５８の電圧を検出する電圧検出部４３と、リフレッシュ時の負荷となる抵抗から構成された放電負荷４２と、充電動作と放電（リフレッシュ）動作とを切り換えるリレー４８と、該リレー４８を制御する充放電切換部４５とから主としてなる。
【００２５】
第１実施形態のリフレッシュ回路３０αの制御部４１は、通信機能を有し、充電回路１０αの制御部２６、及び、図６に示す制御回路６０との間で情報通信を行う。即ち、通信ポート４１ａを介して、充電回路１０αの制御部２６の通信ポート２６ａと接続され、通信ポート４１ｄを介して制御回路６０の入力部６２と、通信ポート４１ｃを介して制御回路６０の出力部６８と接続されている。また、リフレッシュ回路３０αの制御部４１には、更に、電池パック５０のＥＥＰＲＯＭ６１の情報を読み出すためのポート４１ｂが設けられている。
【００２６】
この第１実施形態のリフレッシュ回路３０αは、対応する装填口１１０αに電池パックが装填されると、充電回路１０αの制御部２６に指令を送り、充電電流を制御して自ら充電を行う。また、後述するように制御回路６０からリフレッシュ指令が送られると、充放電切換部４５を介してリレー４８を放電負荷４２側へ接続させ、電池パック５０の電池５８の電力を放電させる。
【００２７】
引き続き、多口充電装置の制御回路６０による処理について、図８、図９のフローチャート、及び、図４、図５に示すモニター表示を参照して説明する。
図８は、多口充電装置への初期設定処理を示している。
先ず、図４（Ａ）に示すようにモニター画面を表示してリフレッシュ充電の際に、履歴を優先するか、時間を優先するかを設定させる（Ｓ１０）。ここで、履歴を優先させた際には、後述するように、時刻に関係なくリフレッシュ充電を開始し、時間を優先させた際には、設定された時間にリフレッシュ充電が開始されることになる。次に、図４（Ｂ）に示すようにモニター画面を表示させて、リフレッシュ充電の開始時間（開始日時）を設定させる（Ｓ１２）。これに応じて、オペレータは、例えば、２０００年の１月１日が工場が休みの場合には、１月１日の００時、００分に設定する。ここでは、日時で指定したが、曜日（例えば、毎日曜日）と時刻でリフレッシュ充電の開始時刻を設定することも可能である。そして、図４（Ｃ）に示すようにモニター画面を表示し、リフレッシュ推奨履歴を設定させる（Ｓ１４）。オペレータは、例えば、リフレッシュ充電を充電開始時の電圧で行う際には、充電開始電圧を、充電完了時の電圧で行う際には充電完了電圧を、また、充電回数に基づきリフレッシュを行う際には、充電回数を設定する。ここでは、充電回数５を設定し、５回充電が行われた際にリフレッシュ充電を行うように設定したものとして説明を続ける。更に、図５（Ａ）に示すようにモニター画面を表示し、他の充電装置の設定を変更するか否かを設定させる（Ｓ１６）。ここでは、オペレータにより、他の充電装置も設定変更するように指示されたものとして説明を続ける。上記Ｓ１０〜Ｓ１６で設定された内容は、記憶部６４に保持される。
【００２８】
引き続き、制御回路６０の制御部７０は、通信部７２を介して、他の多口充電装置が接続されているかを判断する（Ｓ１８）。ここで、図１に示すように他の多口充電装置１００Ｂ、１００Ｃが接続されている際には（Ｓ１８：Ｙｅｓ）、上記Ｓ１６で他の充電装置も設定変更するように指示されたかを判断し（Ｓ２０）、設定変更が指示されている場合には（Ｓ２０：Ｙｅｓ）、他の多口充電装置１００Ｂ、１００Ｄへ設定情報を送り、設定の書き込みを行わしめる（Ｓ２２）。本実施形態では、複数台の多口充電装置が、相互にリフレッシュを行う日時の設定を送受するため、１台の多口充電装置に日時を設定することで、複数台の多口充電装置で同時にリフレッシュを開始させることができる。
【００２９】
引き続き、上述した処理にて初期設定のなされた多口充電装置の制御回路６０による処理について、図９のフローチャートを参照して説明する。
制御回路６０は、リフレッシュ回路３０α、３０β、３０γ、３０δ又は他の多口充電装置１００Ｂ、１００Ｃからの電池データの送信に待機している（Ｓ３２）。ここで、電池データの送信が無いと（Ｓ３２：Ｎｏ）、図８を参照して上述したＳ１２にて設定されたリフレッシュ開始日時になったかを判断し（Ｓ４４）、日時にならない間は（Ｓ４４：Ｎｏ）、Ｓ３２に戻る。
【００３０】
一方、図３（Ｂ）を参照して上述した当該多口充電装置１００Ａのいずれかの装填口１１０α、１１０β、１１０γ、１１０δに電池パックが装填されると、対応のリフレッシュ回路３０α、３０β、３０γ、３０δが電池データ（電池の識別子）を送信する。また、他の多口充電装置１００Ｂ、１００Ｃに電池パックが装填されると、当該他の多口充電装置１００Ｂ、１００Ｃのリフレッシュ回路及び制御回路を介して電池データ（電池の識別子）が送信され、制御回路６０がこれを受信すると（Ｓ３２：Ｙｅｓ）、先ず、当該電池パック５０の充電回数を積算する（Ｓ３４）。例えば、図２（Ｂ）に示す電池パック５０Ａが装填口１１０αに装填され、該電池パック５０Ａの識別子（Ａ）を受信した際には、電池パック５０Ａの前回リフレッシュしてからの充電回数が４回であれば、１を加算して、充電回数を５とする。なお、これと同時に、識別子（Ａ）の電池パック５０Ａを充電することを他の多口充電装置１００Ｂ、１００Ｃに通知する。ここでは、当該多口充電装置１００Ａに電池パック５０Ａが装填されてた場合を例に取ったが、例えば、図１に示す他の多口充電装置１００Ｂに電池パック５０Ｅが装填された際には、当該電池パック５０Ｅの識別子（Ｅ）が送られ、この識別子に対応する電池パックの充電回数を１加算する。
【００３１】
次に、当該電池パック５０Ａの充電回数がリフレッシュ充電を開始する充電回数（上記Ｓ１４で設定された回数（履歴））に達したかを判断する（Ｓ３６）。ここで、充電回数がリフレッシュの開始回数に達する以前は（Ｓ３６：Ｎｏ）、処理を終了する。他方、充電回数がリフレッシュの開始回数に達した際には（Ｓ３６：Ｙｅｓ）、上記Ｓ１０にて、日時よりも履歴を優先するように設定されているかを判断する（Ｓ３８）。ここで、日時よりも履歴を優先するように設定されている場合には（Ｓ３８：Ｙｅｓ）、出力部６８から該当の電池パック５０Ａを充電するリフレッシュ回路３０αに対して、リフレッシュ開始を指令し（Ｓ５０）、そして、記憶部６４に保持された当該電池パック５０Ａ（識別子Ａ）の充電回数を０に初期化する（Ｓ５２）。これと同時に、識別子（Ａ）の電池パック５０Ａをリフレッシュ充電することを他の多口充電装置１００Ｂ、１００Ｃに通知する。
【００３２】
他方、履歴よりも開始日時を優先するように設定されている場合には（Ｓ３８：Ｎｏ）、リフレッシュの開始を推奨する表示を行う（Ｓ４０）。ここでは、対応の電池パック５０Ａが装填された装填口１１０αのリフレッシュ充電推奨ランプ１１４（図３（Ａ）参照）を点滅すると共に、図５（Ｂ）に示す画像をモニター１０６に表示し、リフレッシュの開始を促す。そして、強制リフレッシュ充電ボタン１１６が押されると（Ｓ４２：Ｙｅｓ）、対応の電池パック５０Ａのリフレッシュ回路３０αにリフレッシュ充電の開始を指令する（Ｓ５０）。これと共に、図５（Ｃ）に示すように、モニター１０６にリフレッシュ中の電池パックを表示する。
【００３３】
一方、リフレッシュを開始するように設定された日時（２０００年１月１日００時００分）に到達すると（Ｓ４４：Ｙｅｓ）、制御部７０は、上述した装填口１１０α、１１０β、１１０γ、１１０δに装填されている電池パック５０Ａ、５０Ｂ、５０Ｃ、５０Ｄを検出し（Ｓ４６）、そして、各電池パック５０Ａ、５０Ｂ、５０Ｃ、５０Ｄの内で、充電回数が上述したリフレッシュ開始の設定回数に達しているものを選出する（Ｓ４８）。そして、選出した電池パックの装填されている装填口のリフレッシュ回路に対して、リフレッシュの開始を指示し（Ｓ５０）、その後、リフレッシュ開始を指示した電池パックの充電回数を初期化する（Ｓ５２）。
【００３４】
引き続き、図１０のフローチャートを参照して、リフレッシュ回路３０αによる充電動作について説明する。
電池パック５０が装着されると、制御部４１は、電圧検出部４３にて電池電圧を検出すること、および／または、温度検出部４７にて電池温度を検出することにより装着を検出し（Ｓ１１２：Ｙｅｓ）、ＥＥＰＲＯＭ６１の識別子の情報を読み出し（Ｓ１１４）、読み出した識別子を制御回路６０側へ送信する（Ｓ１１６）。次に、充電回路１０αの記憶部２９に保持されている各電池パック用の制御プログラム内の当該電池パック５０の型式に適合する制御プログラムを検索する（Ｓ１１８）。そして、電圧検出部４３及び温度検出部４７により電池５８の電圧・温度を検出する（Ｓ１２０）。電池電圧・温度に基づき充電を完了したかを判断し（Ｓ１２２）、充電が完了するまでは（Ｓ１２２：Ｎｏ）、電池電圧・温度に基づき決定した充電電流の指令値を充電回路１０αの制御部２６へ出力し（Ｓ１２４）、該充電電流を電源回路２２から電池５８へ供給させる。即ち、上述したように温度検出部４７から出力された温度値を微分して温度上昇値を求めたうえで記憶部２９の制御プログラムに基づいて所定の電流値を算出し、この電流値を電流指令値として充電回路１０αの制御部２６を介して充電電流制御部２４へ出力し、充電電流を制御する。そして、電池温度及び電圧に基づき充電の完了を検出すると（Ｓ１２２：Ｙｅｓ）、充電を停止を充電回路１０αへ出力する（Ｓ１２６）。
【００３５】
引き続き、リフレッシュ回路３０αによるリフレッシュ動作について、図１１のフローチャートを参照して説明する。
リフレッシュ回路３０αの制御部４１は、制御回路６０側からのリフレッシュ開始指令に待機している（Ｓ１３２）。ここで、上述したように強制リフレッシュ充電ボタン１１６が押され（Ｓ４２：Ｙｅｓ）、あるいは、リフレッシュ開始日時に到達し（Ｓ４４：Ｙｅｓ）、制御回路６０側からリフレッシュ開始指令が送られると（Ｓ１３２：Ｙｅｓ）、先ず、リレー４８を操作して、電池５８を放電負荷４２側へ接続する（Ｓ１３４）。次に、放電負荷４２をオンし、電池５８の放電を開始させる（Ｓ１３６）。そして、電池５８の電圧が、放電の終了電圧以下かを判断する（Ｓ１３８）。電圧が終了電圧以下となる前は（Ｓ１３８：Ｎｏ）、Ｓ１３６へ戻り放電を続ける。そして、終了電圧以下になると（Ｓ１３８：Ｙｅｓ）、放電負荷をオフし（Ｓ１４０）、急速放電により温度の高まった電池を冷却するまで休止する（Ｓ１４２）。そして、リレー４８を操作して、電池５８を充電回路１０の電源回路２２側へ接続する（Ｓ１４４）。その後、図１０を参照して上述したＳ１２０の処理へ移行し、電池の充電を開始する。
【００３６】
第１実施形態では、各電池パックの充電履歴からリフレッシュが必要か否かを判断するため、リフレッシュが必要な電池パックを自動的に選別してリフレッシュすることができる。また、設定された時刻になった際に、リフレッシュを開始するため、電池パックが使用される時間帯を避けてリフレッシュを行うことが可能となる。
【００３７】
また、複数台の多口充電装置が、相互にリフレッシュを行う日時の設定を送受するため、１台の多口充電装置に日時を設定することで、複数台の多口充電装置に同時にリフレッシュを開始させることができる。
【００３８】
更に、本実施形態では、各電池パックが識別子を備え、多口充電装置が各電池パックの識別子に対応させた充電履歴を保持するため、複数個の電池パックを充電履歴に基づき適切にリフレッシュすることができる。
【００３９】
また本実施形態では、複数台の多口充電装置が、相互に電池パックの充電履歴情報を送受するため、電池パックが複数の多口充電装置にまたがって充電されても、電池パックの経歴を正しく判断してリフレッシュすることができる。
【００４０】
図１２は、本発明の第２実施形態に係る多口充電装置を構成を示している。図１を参照して上述した第１実施形態では、多口充電装置が相互にケーブル１０９を介して接続されたが、第２実施形態では、無線方式で相互に接続されている。また、第２実施形態では、キーボード１０４とモニター１０６とを一体にしたリモートコントロール装置１２０が、多口充電装置から着脱自在に取り付けられている。そして、該リモートコントロール装置１２０からの赤外線信号を受けるための受光部１２２が、多口充電装置に配置されている。また、この第２実施形態では、電池パック５０のＥＥＰＲＯＭ側に充電履歴を保持させ、該電池パック５０の充電履歴に基づいてリフレッシュを行うように構成されている。
【００４１】
この第２実施形態の構成では、離れて置かれた複数台の多口充電装置の設定を１台の多口充電装置に設定できる利点がある。
【００４２】
上述した実施形態では、設定日時になると、履歴からリフレッシュが必要な電池パックを選別してリフレッシュ充電を開始したが、この代わりに、全ての電池パックをリフレッシュ充電することもできる。また、上述した実施形態では、充電回数からリフレッシュを行うか否かを判断したが、この代わりに、電池パックの充電前の電圧、又は／及び、充電後の電圧からリフレッシュを行うか否か判断することもできる。
【図面の簡単な説明】
【図１】本発明の第１実施形態に係る多口充電装置の構成を示す説明図である。
【図２】（Ａ）は、第１実施形態に係る多口充電装置の外観を示す斜視図であり、（Ｂ）は電池パックの斜視図である。
【図３】（Ａ）、（Ｂ）は、第１実施形態に係る多口充電装置の平面図である。
【図４】（Ａ）、（Ｂ）、（Ｃ）は、図２（Ａ）に示す多口充電装置のモニター表示の説明図である。
【図５】（Ａ）、（Ｂ）、（Ｃ）は、図２（Ａ）に示す多口充電装置のモニター表示の説明図である。
【図６】本発明の第１実施形態に係る多口充電装置の制御回路を示すブロック図である。
【図７】本発明の第１実施形態に係る多口充電装置の充電回路及びリフレッシュ回路を示すブロック図である。
【図８】第１実施形態に係る多口充電装置の制御部による初期設定処理を示すフローチャートである。
【図９】本実施形態に係る多口充電装置の制御部によるリフレッシュ指示処理を示すフローチャートである。
【図１０】リフレッシュ回路による充電処理を示すフローチャートである。
【図１１】リフレッシュ回路によるリフレッシュ処理を示すフローチャートである。
【図１２】本発明の第２実施形態に係る多口充電装置を示す説明図である。
【符号の説明】
１０α、１０β、１０γ、１０δ    充電回路
２２    電源回路
２６    制御部
２６ａ    通信ポート
２８    温度検出部
３０α、３０β、３０γ、３０δ    リフレッシュ回路（リフレッシュ部）
４１    制御部
４１ａ    通信ポート
４４    表示部
５０Ａ、５０Ｂ、５０Ｃ、５０Ｄ    電池パック
５８    電池
６０    制御回路
６２    入力部
６４    記憶部（履歴保持部、日時設定部）
６６    時計部
６８    出力部
７０    制御部（履歴判断部）
７２    通信部
１００Ａ    多口充電装置
１００Ｂ、１００Ｃ    他の多口充電装置
１０４    キーボード
１０６    モニター
１０９    ケーブル
１１０α    装填口
１１２    状態表示ランプ
１１４    リフレッシュ充電推奨ランプ
１１６    強制リフレッシュ充電ボタン
TM    温度センサ
【図１】
0003741614.tif 000002
【図２】
0003741614.tif 000003
【図３】
0003741614.tif 000004
【図４】
0003741614.tif 000005
【図５】
0003741614.tif 000006
【図６】
0003741614.tif 000007
【図７】
0003741614.tif 000008
【図８】
0003741614.tif 000009
【図９】
0003741614.tif 000010
【図１０】
0003741614.tif 000011
【図１１】
0003741614.tif 000012
【図１２】
0003741614.tif 000013